(57)【要約】【課題】    使用者がタオル掛けを使用する際、タオル掛けにタオルを掛けるとタオルが手洗器に接触し、タオルを濡らしたり汚したりせず、さらに手洗器使用中に手洗器から跳ね上がった水によりタオルを汚すことのない。さらには、使用者がトイレルームに入る際、手洗器ユニットにぶつかったり、使用者が便座に腰掛けた時、手洗器ユニットに足がぶつかることのない手洗器ユニットを提供する。【解決手段】  本発明は、設置すべき壁面Ｗに少なくとも一部が埋め込まれた手洗器本体を備えた手洗器ユニット１であって、壁面Ｗよりも奥に、壁面Ｗに対してほぼ平行に延び鏡１０とタオル掛け３が取り付けられた第一壁面部４ａと、第一壁面部４ａの両側の端部から壁面Ｗまで延び、壁面Ｗに対してほぼ直角に向けられた側面部４ｂと、この側面部４ｂの先端を外方に折り曲げて形成された第二壁面部４ｃとからなり、タオル掛け３の前面よりも第二壁面部は前方に突出されて形成されていることことを特徴としている。【選択図】  図５
2008110116.tif 000002
【特許請求の範囲】
【請求項１】
手洗器と、
前記手洗器の後方の第一壁面部と、
前記第一壁面部の上面に設置される鏡と、
前記鏡の前方に前記第一壁面部に平行に配設された第二壁面部と、
前記第一壁面部の両側の端部から延び前記第一壁面部と前記第二壁面部に垂直に配設され前記第一壁面部と前記第二壁面部とを連結される側面部と、
前記鏡の上面に設置されたタオル掛けと、を備え、
前記タオル掛けの前面よりも前記第二壁面部は前方に突出されて形成されていることを特徴とする手洗器ユニット。
【発明の詳細な説明】
【技術分野】
【０００１】
本発明は手洗器ユニットに関し、特に、設置すべき壁面に少なくとも一部が埋め込まれた手洗器本体を備えた手洗器ユニットに関する。 
【背景技術】
【０００２】
特開２００５-２０５０２０号公報には、手洗器上部で鏡の下にタオル掛けが設置された手洗器ユニットがある。図７に示すように鏡とタオル掛けの位置は、鏡の下部に設置されている。
【特許文献１】特開２００５−２０５０２０号公報
【特許文献２】特開２００１−２６９６２号公報
【発明の開示】
【発明が解決しようとする課題】
【０００３】
しかしながら、これら従来の手洗器ユニットでは、図７に示すようにタオル掛けにタオルを掛けるとタオルが手洗器に接触し、タオルを濡らしたり汚したりすることがあった。また、手洗器使用中に手洗器から跳ね上がった水によりタオルを汚すことがあった。更には、使用者が手洗をする際、タオルに頭がぶつかりタオルを汚すことがあった。また、図８に示すように壁面に埋め込まれていない従来の手洗器ユニットでは、狭いトイレルームにおいて場所を取るため、使用者がトイレルームに入る際、手洗器ユニットにぶつかることがあった。さらには、使用者が便座に腰掛けた時、手洗器ユニットに足がぶつかる不具合があった。
【０００４】
従って、本発明は、使用者がタオル掛けを使用する際、タオルが手洗器に接触し、タオルを濡らしたり汚したりしない。さらに、手洗器使用中に手洗器から跳ね上がった水によりタオルを汚すことがなく、タオルに頭がぶつかりタオルを汚すことのない。さらには、使用者がトイレルームに入る際、手洗器ユニットにぶつかったり、使用者が便座に腰掛けた時、手洗器ユニットに足がぶつかることのない手洗器ユニットを提供することを目的としている。
【課題を解決するための手段】
【０００５】
本発明では、上記課題を解決するために手洗器と、前記手洗器の後方の第一壁面部と、
前記第一壁面部の上面に設置される鏡と、前記鏡の前方に前記第一壁面部に平行に配設された第二壁面部と、前記第一壁面部の両側の端部から延び前記第一壁面部と前記第二壁面部に垂直に配設され前記第一壁面部と前記第二壁面部とを連結される側面部と、前記鏡の上面に設置されたタオル掛けと、を備え、前記タオル掛けの前面よりも前記第二壁面部は前方に突出されて形成されていることを特徴とする手洗器ユニットを提供する。
【発明の効果】
【０００６】
本発明の手洗器ユニットよれば、使用者がタオル掛けを使用する際、タオルが手洗器に接触し、タオルを濡らしたり汚したりしない。さらに、手洗器使用中に手洗器から跳ね上がった水によりタオルを汚すことがなく、タオルに頭がぶつかりタオルを汚すことのない。さらには、使用者がトイレルームに入る際、手洗器ユニットにぶつかったり、使用者が便座に腰掛けた時、手洗器ユニットに足がぶつかることのない。
【発明を実施するための最良の形態】
【０００７】
次に、添付図面を参照して、本発明の実施形態による手洗器ユニットを説明する。図１は、本発明の実施形態によるトイレルームの上面図であり、図２は本発明の実施形態による手洗器ユニットの側面断面図であり、図３は正面図である。また、図４は図３の１００-１００線における断面図、図５は図３の２００-２００線における断面図である。
【０００８】
図１乃至図５に示すように、便器Ｂが設置されているトイレルームに手洗器ユニット本体１がある。トイレルームは、住宅に設置されるトイレルームや、学校、オフィスビルなど公衆に利用されるトイレルームがあるが、本発明の好ましい実施形態においてはトイレルームの設置場所に限定されない。施工する際、トイレルームの壁面Ｗを形成している壁面Ｗの一部を取り除き、その壁面Ｗの除去部に手洗器ユニット本体１を埋め込む。図１に示すように、トイレルームの壁面Ｗに手洗器ユニット本体１を埋め込んでいるため、図８に示す従来のトイレルームに比べて狭いトイレルームの空間を広く使う事ができる。このことにより、使用者がトイレルームに入る際、手洗器ユニットにぶつかったり、使用者が便座に腰掛けた時、手洗器ユニットに足がぶつかることのない。
【０００９】
図２に示すように、手洗器ユニット本体１は、手洗器ユニット本体１に固定される手洗器本体６と、埋設された第一壁面部に固定された鏡１０とタオル掛け３、を有する。さらに手洗器ユニット本体１は、手洗器本体６を載置するための天板２ｄと、この天板２ｄよりも上方に延びる背板２ｅと、を有する。背板２ｅは、手洗器本体６の上端と同じ高さまで延びている。図４に示すように手洗器本体６の断面は、壁面Ｗに対してほぼ平行に延びる背板２ｅと、背板２ｅの両側の端部から壁面Ｗまで延び、壁面Ｗに対してほぼ直角に向けられた背板側面部２ｂと、この背板側面部２ｂの先端を外方に折り曲げて形成され背板２ｅと平行に形成された背板平行部２ａと、から構成される。従って、背板平行部２ａと背板側面部２ｂと背板２ｅは、略コの字形の断面を有する。
【００１０】
埋込プレート４は、図５に示すように、壁面Ｗの奥に、壁面Ｗに対してほぼ平行に延びる第一壁面部４ａと、第一壁面部４ａの両側の端部から壁面Ｗまで延び、壁面Ｗに対してほぼ直角に向けられた側面部４ｂと、この側面部４ｂの先端を外方に折り曲げて形成された第二壁面部４ｃと、を有する。従って、埋込プレート４は、略コの字形の断面を有する。また、埋込プレート４は、手洗器ユニット本体１の背板２ｅの上端から上方に延びるように配置されている。（図６）
【００１１】
また、埋込プレート４は、第二壁面部４ｃの裏側が、壁面Ｗの表面に当接されることによって、壁面Ｗに対して位置決めされている。埋込プレート４は、その第二壁面部４ｃが壁面Ｗに当接した状態で、側面部４ｂと補強木Ｃを木ねじ８で固定することにより、壁面Ｗに取り付けられている。さらに、埋込プレート４の第一壁面部４ａには、鏡１０とタオル掛け３が取り付けられている。タオル掛け３の前面の位置は、第二壁面部４ｃより埋設した位置にあることにより、タオル掛け３と第二壁面部４ｃの間に段差が生じる。
【００１２】
図５に示すように、第一壁面部４ａから第二壁面部４ｃまでの距離をＸ、第一壁面部４ａからタオル掛け先端の距離をＹとすると、タオル掛け３の最適な位置は、Ｙ＜Ｘであることが好ましい。このような構成により、使用者が手洗い中にタオルに頭がぶつかりタオルを汚すことのない。また、鏡１０におけるタオル掛け３の設置位置は、鏡１０の長手方向の中心より上にタオル掛けが設置される事が望ましい。このような構成により、タオルが手洗器に接触し、タオルを濡らしたり汚したりしない。さらに、手洗器使用中に手洗器から跳ね上がった水によりタオルを汚すことがない。
【００１３】
手洗器本体６は、図４に示すように、壁面Ｗに埋め込まれる埋設部６ａと、この埋設部６ａと連続して形成され、埋設部６ａよりも幅が広い突出部６ｂと、を有する。手洗器本体６は、埋設部６ａが略コの字形断面の背板２ｅの中に挿入され、突出部６ｂが壁面Ｗの前方に突出するように配置される。また、手洗器本体６は、突出部６ｂの後端面である当接面６ｃを壁面Ｗの方向に押し付けることによって位置決めされている。さらに、手洗器本体６の内側には、壁面Ｗと平行にほぼ鉛直方向に延びる正面部と、この正面部から連続して前方に湾曲するように構成され、吐水された水道水を受けるボウル部が形成されている。なお、本実施形態においては、手洗器本体６は陶器製である。
【００１４】
また、手洗器本体６は、図６に示すように、手洗器ユニット本体１の天板２ｄの上に載置されており、手洗器ユニット本体１の天板２ｄと手洗器本体６の底面６ｇが締結用ボルト１４により結合されることによって固定されている。また、手洗器本体６上端部には、機能部６ｄが設けられており、この機能部６ｄには、使用者が手洗器本体６内に手指を入れたことを検知するセンサと、このセンサの検出信号に基づいて、吐水状態と止水状態に切り替えられる開閉弁と、これらを作動させるコントローラが内蔵されている（以上図示せず）。さらに、機能部６ｄの下面には、スパウト６ｅが形成されている。使用者は、手洗器に手をかざすと自動的に水が吐水され、手を引くと止水する。このセンサを用いた手洗器により、使用後に蛇口などの部位に触れることなく、手を洗うことができる。
【００１５】
以上、本発明の好ましい実施形態を説明したが、上述した実施形態に種々の変更を加えることができる。特に、上述した実施形態においては、手洗器本体は陶器製であったが、手洗器本体を樹脂で構成することもできる。
【００１６】
また、上述した実施形態においては、手洗器本体の上方に背板が延び、埋込プレートが配置されていたが、背板が鏡の後部の第一壁面部まで延びるように構成することもできる。
【００１７】
これまで詳細を記した最良の実施の形態によると、タオル掛けが手洗器から離れた位置にあるため、タオルが手洗器に接触し、タオルを濡らしたり汚したりしない。さらに、使用者が手洗器使用中に手洗器から跳ね上がった水によりタオルを汚すことがない。さらには、タオル掛けが壁面に埋設されているためタオルに頭がぶつかりタオルを汚すことのない。さらには、使用者がトイレルームに入る際、手洗器ユニットにぶつかったり、使用者が便座に腰掛けた時、手洗器ユニットに足がぶつかることのない。
【図面の簡単な説明】
【００１８】
【図１】本発明の実施形態によるトイレルームの上面図である。
【図２】本発明の実施形態による手洗器ユニットの側面断面図である。
【図３】本発明の実施形態による手洗器ユニットの正面図である。
【図４】図３の１００-１００線における断面図である。
【図５】図３の２００-２００線における断面図である。
【図６】手洗器本体の取り付け部分を拡大して示す側面断面図である。
【図７】従来の手洗器ユニットの斜視図である。
【図８】従来のトイレルームの上面図である。
【符号の説明】
【００１９】
Ｂ 便器
Ｃ 補強木
Ｆ 床面
Ｐ 手洗器本体の最奥部
Ｗ 壁面
Ｘ 第一壁面部前面４ａと第二壁面４ｃ前面との距離
Ｙ 第一壁面部前面４ａとタオル掛け前面３ａとの距離
１ 本発明の実施形態による手洗器ユニット
２ａ 背板平行部
２ｂ 背板側面部
２ｄ 天板
２ｅ 背板
３  タオル掛け
３ａ タオル掛け前面
４ 埋込プレート
４ａ 第一壁面部
４ｂ 側面部
４ｃ 第二壁面部
６ 手洗器本体
６ａ 埋設部
６ｂ 突出部
６ｃ 当接面
６ｄ 機能部
６ｅ スパウト
６ｆ あふれ縁
６ｇ 底面
８ 木ねじ
１０ 鏡
１４ 締結用ボルト
【図１】
2008110116.tif 000003
【図２】
2008110116.tif 000004
【図３】
2008110116.tif 000005
【図４】
2008110116.tif 000006
【図５】
2008110116.tif 000007
【図６】
2008110116.tif 000008
【図７】
2008110116.tif 000009
【図８】
2008110116.tif 000010